(57)【要約】【課題】十分に高度な燃焼性を有し、ＮＯｘやＣＯの発生を十分に抑制することが可能なエマルジョン燃料を効率よく且つ確実に製造することが可能なエマルジョン燃料の製造方法を提供すること。【解決手段】水相と燃料油からなる油相とを有する油中水滴型エマルジョンの前記水相中にＣＯ２を溶解させて、ＣＯ２が溶解した水相を有する油中水滴型エマルジョン燃料を得ることを特徴とするエマルジョン燃料の製造方法。【選択図】なし【特許請求の範囲】
【請求項１】
水相と燃料油からなる油相とを有する油中水滴型エマルジョンの前記水相中にＣＯ２を溶解させて、ＣＯ２が溶解した水相を有する油中水滴型エマルジョン燃料を得ることを特徴とするエマルジョン燃料の製造方法。
【請求項２】
炭酸水と燃料油とを混合して乳化することにより、ＣＯ２が溶解した水相と前記燃料油からなる油相とを有する油中水滴型エマルジョン燃料を得ることを特徴とするエマルジョン燃料の製造方法。
【請求項３】
前記油中水滴型エマルジョン燃料の水相中に常温常圧における大気中のＣＯ２の飽和溶解量を超える量のＣＯ２が溶解していることを特徴とする請求項１又は２に記載のエマルジョン燃料の製造方法。
【請求項４】
水相と燃料油からなる油相とを有する油中水滴型エマルジョン燃料であって、前記水相中に常温常圧における大気中のＣＯ２の飽和溶解量を超える量のＣＯ２が溶解していることを特徴とするエマルジョン燃料。
【請求項５】
燃料油と水とを乳化混合して油中水滴型エマルジョンを製造するための混合装置と、前記混合装置から供給される油中水滴型エマルジョンの水相中にＣＯ２を溶解させて油中水滴型エマルジョン燃料を得るためのＣＯ２溶解装置とを備えることを特徴とするエマルジョン燃料の製造装置。
【請求項６】
燃料油と炭酸水とを乳化混合して油中水滴型エマルジョン燃料を製造するための混合装置を備えることを特徴とするエマルジョン燃料の製造装置。
【請求項７】
請求項５又は６に記載のエマルジョン燃料の製造装置と、
前記エマルジョン燃料製造装置から供給されるエマルジョン燃料を燃焼器内に噴霧するための噴霧装置と、
を備えることを特徴とするエマルジョン燃料の供給装置。
【発明の詳細な説明】
【技術分野】
【０００１】
本発明は、エマルジョン燃料、エマルジョン燃料の製造方法、エマルジョン燃料の製造装置及びエマルジョン燃料の供給装置に関する。
【背景技術】
【０００２】
水と燃料を乳化混合して得られる油中水滴型のエマルジョン燃料は、燃焼時にＮＯｘや粒子状物質（ＰＭ）等の発生が少ないため、大気汚染の防止に有効な燃料として注目されている。このようなエマルジョン燃料の製造方法としては、例えば、特開２００６−３２９４３８号公報（特許文献１）や特開平１０−１８５１８３号公報（特許文献２）に、燃料油と水とをミキサーで乳化混合する方法が開示されている。しかしながら、特許文献１〜２に記載のような従来のエマルジョン燃料の製造方法を採用して得られるエマルジョン燃料は燃焼性が十分なものではなかった。
【特許文献１】特開２００６−３２９４３８号公報
【特許文献２】特開平１０−１８５１８３号
【発明の開示】
【発明が解決しようとする課題】
【０００３】
本発明は、上記従来技術の有する課題に鑑みてなされたものであり、十分に高度な燃焼性を有し、ＮＯｘやＣＯの発生を十分に抑制することが可能なエマルジョン燃料を効率よく且つ確実に製造することが可能なエマルジョン燃料の製造方法、その製造方法により得られるエマルジョン燃料、そのエマルジョン燃料を製造することが可能なエマルジョン燃料の製造装置、並びに、そのエマルジョン燃料を燃焼器内に供給可能なエマルジョン燃料の供給装置を提供することを目的とする。
【課題を解決するための手段】
【０００４】
本発明者らは、上記目的を達成すべく鋭意研究を重ねた結果、油中水滴型エマルジョンの水相中にＣＯ２を溶解するか或いは炭酸水と燃料油とを乳化混合することにより、十分に高度な燃焼性を有し、ＮＯｘやＣＯの発生を十分に抑制することが可能なエマルジョン燃料を効率よく且つ確実に製造することが可能となることを見出し、本発明を完成するに至った。
【０００５】
すなわち、本発明の第一のエマルジョン燃料の製造方法は、水相と燃料油からなる油相とを有する油中水滴型エマルジョンの前記水相中にＣＯ２を溶解させて、ＣＯ２が溶解した水相を有する油中水滴型エマルジョン燃料を得ることを特徴とする方法である。
【０００６】
また、本発明の第二のエマルジョン燃料の製造方法は、炭酸水と燃料油とを混合して乳化することにより、ＣＯ２が溶解した水相と前記燃料油からなる油相とを有する油中水滴型エマルジョン燃料を得ることを特徴とする方法である。
【０００７】
さらに、上記本発明の第一及び第二のエマルジョン燃料の製造方法においては、前記油中水滴型エマルジョン燃料の水相中に常温常圧における大気中のＣＯ２の飽和溶解量を超える量のＣＯ２が溶解していることが好ましい。
【０００８】
また、本発明のエマルジョン燃料は、水相と燃料油からなる油相とを有する油中水滴型エマルジョン燃料であって、前記水相中に常温常圧における大気中のＣＯ２の飽和溶解量を超える量のＣＯ２が溶解していることを特徴とするものである。
【０００９】
本発明の第一のエマルジョン燃料の製造装置は、燃料油と水とを乳化混合して油中水滴型エマルジョンを製造するための混合装置と、前記混合装置から供給される油中水滴型エマルジョンの水相中にＣＯ２を溶解させて油中水滴型エマルジョン燃料を得るためのＣＯ２溶解装置とを備えることを特徴とするものである。
【００１０】
また、本発明の第二のエマルジョン燃料の製造装置は、燃料油と炭酸水とを乳化混合して油中水滴型エマルジョン燃料を製造するための混合装置を備えることを特徴とするものである。
【００１１】
さらに、本発明のエマルジョン燃料の供給装置は、上記本発明の第一又は第二のエマルジョン燃料製造装置と、前記エマルジョン燃料製造装置から供給されるエマルジョン燃料を燃焼器内に噴霧するための噴霧装置とを備えることを特徴とするものである。
【００１２】
なお、本発明のエマルジョン燃料によって、十分に高度な燃焼性を有し、ＮＯｘやＣＯの発生を十分に抑制することが可能となる理由は必ずしも定かではないが、本発明者らは以下のように推察する。ここで、先ず、図１及び図２を参照しながら、燃焼器内における一般の油中水滴型エマルジョン燃料の噴霧燃焼の過程について説明する。なお、以下の説明及び図面中、同一又は相当する要素には同一の符号を付し、重複する説明は省略する。このような油中水滴型エマルジョン燃料の噴霧燃焼の過程においては、先ず、油中水滴型エマルジョン燃料が燃焼器内に噴霧されると、燃料油１と水２とを含有する油中水滴型エマルジョン燃料の噴霧滴１０が燃焼器内に拡散される。次に、燃焼器内において、前記噴霧滴１０の表面に着火される（図１（ｂ））。このようにして噴霧滴の表面に着火されると、噴霧滴１０中の水２が突沸してミクロ爆発が起こり、燃料１がより微細な二次微粒子となって燃焼器中に拡散される（図１（ｃ））。このようにして燃焼器中に燃料油１が二次微粒化されて微細な粒子となって拡散されると、燃料油１の燃焼性を向上させることが可能となる。ここで、前述のミクロ爆発は、図２に示すように噴霧滴１０中の水２中において気泡核４が発生し、この気泡核４が急激に成長することにより発生する。なお、このようなミクロ爆発は全ての噴霧滴１０において起こるとは限らず、従来の油中水滴型エマルジョン燃料においては、その効率が十分なものではなかった。
【００１３】
そこで、本発明においては、エマルジョン燃料中の水相にＣＯ２を溶解させている。このようにして水相中にＣＯ２を溶解させることにより水相において気泡核の発生エネルギーが低下し、気泡核を効率よく発生させることが可能となる。そのため、本発明で得られるエマルジョン燃料においては、二次微粒化の発生頻度と強度とが飛躍的に向上する。また、本発明においては、二次微粒化が効率よく進行するため、燃料油の燃焼時において燃料滴の表面積をより十分に増大させることが可能となり、燃焼効率を飛躍的に向上させることが可能となる。したがって、本発明のエマルジョン燃料においては、燃料油を十分に燃焼させることが可能であり、燃焼時にＮＯｘ、ＣＯ、煤塵の発生を十分に抑制することが可能となるものと本発明者らは推察する。
【発明の効果】
【００１４】
本発明によれば、十分に高度な燃焼性を有し、ＮＯｘやＣＯの発生を十分に抑制することが可能なエマルジョン燃料を効率よく且つ確実に製造することが可能なエマルジョン燃料の製造方法、その製造方法により得られるエマルジョン燃料、そのエマルジョン燃料を製造することが可能なエマルジョン燃料の製造装置、並びに、そのエマルジョン燃料を燃焼器内に供給可能なエマルジョン燃料の供給装置を提供することが可能となる。
【発明を実施するための最良の形態】
【００１５】
以下、本発明をその好適な実施形態に即して詳細に説明する。
【００１６】
［第一のエマルジョン燃料の製造方法］
先ず、本発明の第一のエマルジョン燃料の製造方法について説明する。本発明の第一のエマルジョン燃料の製造方法は、水相と燃料油からなる油相とを有する油中水滴型エマルジョンの前記水相中にＣＯ２を溶解させて、ＣＯ２が溶解した水相を有する油中水滴型エマルジョン燃料を得ることを特徴とする方法である。
【００１７】
このような燃料油としては、エマルジョン燃料に用いることが可能な燃料油であればよく特に制限されず、軽油、重油、灯油などを適宜用いることができる。また、前記水相を形成させる水としては特に制限されるものではなく、地下水、水道水、井戸水等の通常の水を適宜用いることができる。また、このような油中水滴型エマルジョンにおける水と燃料油の混合割合は特に制限されず、目的とする用途等に応じて適宜調整することが可能である。また、このような油中水滴型エマルジョンにおいては、乳化剤等のエマルジョン燃料に用いることが可能な公知の成分を適宜含有させてもよい。更に、前記油中水滴型エマルジョンの調製方法は特に制限されず、公知の方法を適宜採用することができる。
【００１８】
また、前記油中水滴型エマルジョンの水相中にＣＯ２を溶解させる方法としては、前記水相中にＣＯ２を溶解させることが可能な方法であればよく特に制限されず、例えば、油中水滴型エマルジョンにドライアイスを溶解させることにより水相中にＣＯ２を溶解させる方法、油中水滴型エマルジョンにＣＯ２をバブリングすることにより水相中にＣＯ２を溶解させる方法、密封容器内に油中水滴型エマルジョンを配置し、前記密封容器内を脱気した後、前記密封容器内にＣＯ２ガスを充填して圧力変化がなくなるまで静置することで水相中にＣＯ２を溶解させる方法等を適宜採用することができる。このような水相中にＣＯ２を溶解させる工程において水相中に所望の量のＣＯ２が溶解させる方法は、目的とするエマルジョン燃料の設計に応じて、前述ドライアイスの使用量やバブリングの時間等の諸条件を適宜調整することにより達成することができる。なお、所望の量のＣＯ２を溶解させるために、ドライアイスの使用量等の条件と油中水滴型エマルジョン燃料の水相中に溶解されるＣＯ２の溶解量との関係等を予め調べておき、その関係に従ってＣＯ２を溶解させるための条件を適宜選択して所望の量のＣＯ２を溶解させてもよい。
【００１９】
また、このようなＣＯ２を溶解させる工程において、水相に溶解させるＣＯ２の量は特に制限されないが、常温常圧における大気中のＣＯ２の飽和溶解量（大気圧下および液体温度が２０度の場合で大気中に３８０ｐｐｍのＣＯ２が含まれる場合には０．６９ｍｇ／Ｌ）を超える量であることが好ましく、噴霧滴の二次微粒化の発生頻度と強度をより十分に向上させるために、得られる油中水滴型エマルジョン燃料の水相中にエマルジョン燃料を使用する際の雰囲気圧力及びエマルジョン燃料温度における飽和溶解量以上の量のＣＯ２を溶解させることがより好ましい。ここで、エマルジョン燃料を使用する雰囲気圧力及び温度における飽和溶解量以上の量のＣＯ２を溶解されている状態は、例えば、燃焼器内の雰囲気中のＣＯ２の分圧よりも高圧のＣＯ２を用いて、燃焼器内に噴霧する前のエマルジョン燃料の水相中にＣＯ２を溶解させることで実現可能となる。例えば、１０ｋｇ／ｃｍ２の高圧ＣＯ２を使用してエマルジョン燃料の水相中に水１リットルあたり２１．０８ｋｇ／Ｌ（ＣＯ２の圧力１０ｋｇ／ｃｍ２、液体温度１５℃における水へのＣＯ２の飽和溶解量）の量のＣＯ２を溶解させてエマルジョン燃料を製造し、その後、燃料噴霧ノズルに１０ｋｇ／ｃｍ２の圧力を印加して燃焼器内にエマルジョン燃料を噴霧する場合が挙げられる。この場合、燃焼器内のＣＯ２分圧は燃料噴霧ノズルにかける圧力よりも低く、一時的に雰囲気圧力における飽和溶解量以上のＣＯ２が溶解したエマルジョン燃料が噴霧される。これにより相当の効果を期待できるエマルジョン燃料が得られることが予想される。
【００２０】
また、前記水相に常温常圧における大気中のＣＯ２の飽和溶解量を超える量のＣＯ２をより確実に溶解させる方法としては、用いる油中水滴型エマルジョンの種類等によっても異なるものであり一概には言えないが、例えば、大気圧下において１０ｖｏｌ％の水相を有する油中水滴型エマルジョン１Ｌに対して３〜５ｇ程度のドライアイスを溶解させる方法を採用してもよい。また、エマルジョン燃料の使用時の雰囲気圧力及び温度における飽和溶解量以上の量のＣＯ２を水相に溶解させる方法としては、例えば、使用時の雰囲気圧力及び温度よりも高圧及び／又は低温の条件下において水相にＣＯ２を飽和溶解量となるように溶解させる方法を採用することができる。なお、本発明においては、前記水相にＣＯ２を溶解させる際に採用する条件により、その条件下で水相中に溶解したとみなせる水１ＬあたりのＣＯ２の量をエマルジョン燃料の水相中に溶解している水１ＬあたりのＣＯ２の量（ｍｇ／Ｌ）とみなしてもよい（例えば、溶解させる際に採用した条件が飽和溶解量までＣＯ２が溶解したとみなせるような条件である場合にはエマルジョン燃料の水相中に飽和溶解量のＣＯ２が溶解したものとみなしてもよい）。
【００２１】
また、本発明の第一のエマルジョン燃料の製造方法によれば、後述する本発明のエマルジョン燃料を効率よく製造することができる。なお、このような本発明のエマルジョン燃料については後述する。
【００２２】
［第二のエマルジョン燃料の製造方法］
次に、本発明の第二のエマルジョン燃料の製造方法について説明する。すなわち、本発明の第二のエマルジョン燃料の製造方法は、炭酸水と燃料油とを混合して乳化することにより、ＣＯ２が溶解した水相と燃料油からなる油相とを有する油中水滴型エマルジョン燃料を得ることを特徴とする方法である。
【００２３】
本発明にかかる燃料油は、上記本発明の第一のエマルジョン燃料の製造方法において説明したものと同様のものである。
【００２４】
本発明にかかる炭酸水としては、エマルジョン燃料を使用する際の雰囲気圧力及び温度における飽和溶解量以上の量のＣＯ２が溶解している水であることが好ましい。このような炭酸水中のＣＯ２の溶解量が、エマルジョン燃料を使用する際の雰囲気圧力及び温度におけるＣＯ２の飽和溶解量未満では、水相における気泡核の発生エネルギーの低下度合いも減少する傾向にある。また、このような炭酸水の製造方法は特に制限されず、公知の方法を適宜採用することができる。また、前記炭酸水としては市販のものを用いてもよい。
【００２５】
本発明においては、前記炭酸水中のＣＯ２の溶解量（ｍｇ／Ｌ）は以下に示す測定方法により求められる値とする。なお、このようなＣＯ２の溶解量の測定に際しては、図３に示すような測定装置を用いる。このような図３に示すＣＯ２の溶解量の測定装置は、密封容器２０（容量：５５０mＬ）と、前記密封容器２０にガス流通管２１を介して接続された流量計２２とを備えるものである。以下、このような測定装置を用いたＣＯ２の溶解量の測定方法について説明する。すなわち、先ず、大気圧下において、容器２０内に炭酸水２３を５００ｍＬ導入する。なお、容器２０内に導入する前の炭酸水２１の温度は１５℃とする。次に、前記容器２０内の炭酸水２３に対して超音波（出力：２５Ｗ、周波数：３４ｋＨｚ）を５時間印加する。次いで、容器内に発生したＣＯ２を、ガス流通管２２を介して流量計２３（シナガワ精機社製の商品名「乾式ガスメーター  Ｍｏｄｅｌ  ＤＣ―２」）に流通させ、溶解しているＣＯ２の量を測定する。そして、測定されたＣＯ２の量を前記炭酸水中の水１Ｌあたりの溶解量に換算することで水１ＬあたりのＣＯ２の溶解量が求められる。本発明においては、このようにして求められた水１ＬあたりのＣＯ２の溶解量（ｍｇ／Ｌ）の値を炭酸水中のＣＯ２の溶解量とする。
【００２６】
また、前記炭酸水と前記燃料油とを混合して乳化する方法としては特に制限されず、公知の油中水滴型エマルジョン燃料を製造する方法において採用される乳化方法等を適宜採用できる。また、このような乳化に際しては、乳化剤等の油中水滴型エマルジョン燃料に添加することが可能な公知の成分を適宜含有させてもよい。
【００２７】
また、本発明により得られる油中水滴型エマルジョン燃料としては、水相中に、常温常圧における大気中のＣＯ２の飽和溶解量を超える量のＣＯ２が溶解していることが好ましい。また、本発明の第二のエマルジョン燃料の製造方法によれば、後述する本発明のエマルジョン燃料を効率よく製造することができる。なお、このような本発明のエマルジョン燃料については後述する。
【００２８】
［エマルジョン燃料］
次に、本発明のエマルジョン燃料について説明する。本発明のエマルジョン燃料は、水相と燃料油からなる油相とを有する油中水滴型エマルジョン燃料であって、前記油中水滴型エマルジョン燃料の水相中に、常温常圧における大気中のＣＯ２の飽和溶解量を超える量のＣＯ２が溶解していることを特徴とするものである。このようなエマルジョン燃料は、水相中に、常温常圧における大気中のＣＯ２の飽和溶解量を超える量のＣＯ２が溶解しているため、水相における気泡核の発生エネルギーを低下させることができ、燃焼の際にミクロ爆発（水蒸気爆発）を効率よく発生させることが可能なものである。そのため、本発明のエマルジョン燃料は、従来の油中水滴型エマルジョンと比較して噴霧滴の二次微粒化の発生頻度と強度が飛躍的に向上したものとなる。ここで、「水相中に常温常圧における大気中のＣＯ２の飽和溶解量を超える量のＣＯ２が溶解している」とは、例えば、大気圧下、液体温度が２０度で且つ大気中にＣＯ２が３８０ｐｐｍ存在する場合では、その条件下における水へのＣＯ２飽和溶解量の０．６９ｍｇ／Ｌを超える量のＣＯ２が水相中に溶解していることをいう。なお、ここにいうＣＯ２の溶解量は、水１Ｌに対して溶解しているＣＯ２の量（ｍｇ／Ｌ）を基準とする。
【００２９】
また、前記燃料油及び水相中の水は、上記本発明の第一のエマルジョン燃料の製造方法において説明したものと同様のものである。更に、このようなエマルジョン燃料は、上記本発明の第一及び第二のエマルジョン燃料の製造方法を採用することにより得ることができる。
【００３０】
また、このようなエマルジョン燃料の水相中のＣＯ２の溶解量としては、噴霧滴の二次微粒化の発生頻度と強度をより十分に向上させるために、エマルジョン燃料を使用する際の雰囲気圧力及び温度におけるＣＯ２飽和溶解量以上の量であることが最も好ましい。このようなＣＯ２の溶解量とすることにより、使用時に噴霧滴のミクロ爆発（水蒸気爆発）をより効率よく発生させることが可能となる。
【００３１】
［第一のエマルジョン燃料製造装置］
本発明の第一のエマルジョン燃料の製造装置は、燃料油と水とを乳化混合して油中水滴型エマルジョンを製造するための混合装置と、前記混合装置から供給される油中水滴型エマルジョンの水相中にＣＯ２を溶解させて油中水滴型エマルジョン燃料を得るためのＣＯ２溶解装置とを備えることを特徴とするものである。以下、図面を参照しながら本発明の好適な実施形態について詳細に説明する。
【００３２】
図４は、本発明のエマルジョン燃料の製造装置の好適な一実施形態が燃焼器に接続された状態を示す模式図である。図４に示す第一のエマルジョン燃料製造装置は、基本的に、燃料貯蔵器１１と、水貯蔵器１２と、燃料貯蔵器１１及び水貯蔵器１２に配管を介して接続された混合装置１３と、混合装置１３に配管を介して接続されたＣＯ２溶解装置１４とを備えるものである。また、本実施形態の製造装置において、ＣＯ２溶解装置１４は配管を介して燃焼器１５に接続されている。なお、各配管には図示を省略したポンプがそれぞれ設置されており、燃料油や水等を混合装置等に供給することが可能となっている。また、図中の矢印は配管内において燃料油等が流れる方向を概念的に示したものである。
【００３３】
このような燃料貯蔵器１１は、混合装置１３に供給するための燃料油を貯蔵できるものであればよく特に制限されず、公知のエマルジョン燃料製造装置に用いられる燃料の貯蔵器（例えば燃料タンク）を適宜用いることができる。また、水貯蔵器１２は、混合装置１３に供給するための水を貯蔵できるものであればよく特に制限されず、公知のエマルジョン燃料製造装置に用いられる水の貯蔵器（例えば水タンク）を適宜用いることができる。更に、混合装置１３は、燃料油と水とを乳化混合することが可能な装置であればよく、公知のエマルジョン燃料製造装置に用いられる混合装置（例えばミキサー、超音波ホモジナイザー等）を適宜用いることができる。
【００３４】
また、ＣＯ２溶解装置１４は、油中水滴型エマルジョンの水相中にＣＯ２を溶解させることが可能な装置である。本実施形態におけるＣＯ２溶解装置１４としては、密封容器と、前記密封容器中に配置され且つ油中水滴型エマルジョンを貯蔵及び撹拌することが可能な貯蔵槽と、前記密封容器と接続され且つ前記密封容器内を脱気することが可能な真空ポンプと、前記密封容器内にＣＯ２を供給することが可能なＣＯ２ガスボンベと、前記密封容器内の内圧を測定することが可能な圧力測定装置とを備える装置を利用している。また、このような密封容器は配管により外部から貯蔵槽に油中水滴型エマルジョンを供給することが可能で、且つ、前記油中水滴型エマルジョンの水相中にＣＯ２を溶解させて油中水滴型エマルジョン燃料を製造した後に配管により外部に油中水滴型エマルジョン燃料を供給することが可能な構成となっている。また、このような実施形態のＣＯ２溶解装置１４が備える密封容器、貯蔵槽、真空ポンプ、ＣＯ２ガスボンベ及び圧力測定装置は特に制限されず、公知のものを適宜用いることができる。また、このような実施形態のＣＯ２溶解装置１４は、前記貯蔵槽に一定量の油中水滴型エマルジョンを供給した後に油中水滴型エマルジョンの供給を停止し、前記密封容器内を密封状態として脱気した後、ＣＯ２ガスボンベを用いて前記密封容器内にＣＯ２を供給して前記密封容器内を高圧のＣＯ２雰囲気とし、前記密封容器内の圧力の変化がなくなるまで油中水滴型エマルジョンを撹拌することにより油中水滴型エマルジョンの水相中にＣＯ２を溶解させてエマルジョン燃料を得ることを可能とする装置である。なお、本実施形態においては前記圧力測定装置やガスボンベ等は図示を省略したコンピュータに接続され、コンピュータに入力される圧力に関するデータに基づいてＣＯ２の供給量等を制御している。
【００３５】
また、前記燃焼器１５としてはエマルジョン燃料を燃焼させるための装置であればよく、例えば、ディーゼルエンジン、ボイラー、バーナ等が挙げられる。
【００３６】
このような図４に示す第一のエマルジョン燃料製造装置においては、先ず、燃料貯蔵器１１及び水貯蔵器１２から配管を介して混合装置１３に燃料油及び水が供給される。次いで、混合装置１３において燃料油と水とを乳化混合することで油中水滴型エマルジョンが得られる。次に、得られた油中水滴型エマルジョンはＣＯ２溶解装置１４に供給される。そして、ＣＯ２溶解装置１４において油中水滴型エマルジョンの水相にＣＯ２を溶解させて油中水滴型エマルジョン燃料が得られる。その後、得られた油中水滴型エマルジョン燃料は燃焼器に接続された配管内に供給される。そのため、このような実施形態のエマルジョン燃料製造装置を用いた場合には燃焼器に供給される直前の油中水滴型エマルジョン燃料の水相中にＣＯ２を溶解させることが可能となる。
【００３７】
以上、本発明の第一のエマルジョン燃料製造装置の好適な実施形態について説明したが、本発明の第一のエマルジョン燃料製造装置は上記実施形態に限定されるものではない。例えば、上記実施形態においては上述のような構成の装置を用いているが、本発明の第一のエマルジョン燃料製造装置は、燃料油と水とを乳化混合して油中水滴型エマルジョンを製造するための混合装置と、前記混合装置から供給される油中水滴型エマルジョンの水相中にＣＯ２を溶解させて油中水滴型エマルジョン燃料を得るためのＣＯ２溶解装置とを備えていればよく他の構成は特に制限されない。また、本発明の第一のエマルジョン燃料製造装置は、乳化剤の供給装置等のエマルジョン燃料の製造に用いることが可能な公知の装置を更に備えていてもよい。また、上記実施形態においては、上述のような構成のＣＯ２溶解装置１４を用いているが、本発明においては、ＣＯ２溶解装置１４の構成は特に制限されず、ＣＯ２を油中水滴型エマルジョンにバブリングすることを可能とするような構成の装置等を用いてもよい。また、上記実施形態においては、上述のようなＣＯ２溶解装置１４を用いてバッチ式で水相中にＣＯ２を溶解させているが、本発明においては、例えばＣＯ２をバブリングすることが可能なＣＯ２溶解装置１４を用いて流通式で水相中にＣＯ２を溶解させてもよい。
【００３８】
［第二のエマルジョン燃料製造装置］
本発明の第二のエマルジョン燃料製造装置は、燃料油と炭酸水とを乳化混合して油中水滴型エマルジョン燃料を製造するための混合装置を備えることを特徴とするものである。以下、図面を参照しながら本発明の好適な実施形態について詳細に説明する。
【００３９】
図５は、本発明のエマルジョン燃料の製造装置の好適な一実施形態が燃焼器に接続された状態を示す模式図である。図５に示す第二のエマルジョン燃料の製造装置は、基本的に、燃料貯蔵器１１と、炭酸水貯蔵器１６と、燃料貯蔵器１１及び炭酸水貯蔵器１６に配管を介して接続された混合装置１７とを備えるものである。また、混合装置１７は配管を介して燃焼器１５に接続されている。
【００４０】
このような燃料貯蔵器１１は上記本発明の第一のエマルジョン燃料の製造装置において説明したものと同様のものである。また、炭酸水貯蔵器１６としては炭酸水を貯蔵することが可能なものであればよい。このような炭酸水貯蔵器１６としては公知の水タンク等を用いてもよい。また、混合装置１７は、燃料油と炭酸水とを乳化混合することが可能な装置であればよく、公知のエマルジョン燃料製造装置に用いられる混合装置（例えばミキサー等）を適宜用いることができる。
【００４１】
このような図５に示す第一のエマルジョン燃料製造装置においては、先ず、燃料貯蔵器１１及び炭酸水貯蔵器１６から配管を介して混合装置１７に燃料油及び炭酸水を供給される。次いで、混合装置１７において燃料油と炭酸水とを乳化混合して油中水滴型エマルジョン燃料が得られる。その後、得られた油中水滴型エマルジョン燃料は燃焼器に接続された配管内に供給される。そのため、このような実施形態のエマルジョン燃料製造装置を用いた場合には燃焼器内に供給される直前の油中水滴型エマルジョン燃料の水相中にＣＯ２を溶解させることが可能となる。
【００４２】
以上、本発明の第二のエマルジョン燃料製造装置の好適な実施形態について説明したが、本発明の第二のエマルジョン燃料製造装置は上記実施形態に限定されるものではない。例えば、第二のエマルジョン燃料製造装置においては、燃料油と炭酸水とを乳化混合して油中水滴型エマルジョン燃料を製造するための混合装置を備えていればよく、それ以外の構成は特に制限されない。また、乳化剤を供給するための装置等のエマルジョン燃料の製造に用いることが可能な公知の装置を更に備えていてもよい。
【００４３】
［エマルジョン燃料の供給装置］
本発明のエマルジョン燃料の供給装置は、上記本発明の第一又は第二のエマルジョン燃料製造装置と、前記エマルジョン燃料製造装置から供給されるエマルジョン燃料を燃焼器内に噴霧するための噴霧装置とを備えることを特徴とするものである。
【００４４】
このような噴霧装置としては、燃焼器内にエマルジョン燃料を噴霧することが可能なものであればよく特に制限されず、公知の噴霧装置を適宜用いることができる。すなわち、このような噴霧装置としては、二流体ノズル等の公知のノズルを適宜用いることができる。このようなノズルを噴霧装置として用いる場合の本発明のエマルジョン燃料の供給装置の好適な実施形態としては、例えば、ノズルと、前記ノズルに接続され且つ前記ノズルにエマルジョン燃料を供給するための配管と、前記配管の他端に接続された上記本発明の第一又は第二のエマルジョン燃料製造装置とを備える装置が挙げられる。
【００４５】
このような本発明のエマルジョン燃料の供給装置によれば、ノズル等の噴霧装置から噴射する直前のエマルジョン燃料の水相中にＣＯ２を溶解させることが可能となり、これにより燃料の燃焼効率を十分に向上させることが可能となる。
【実施例】
【００４６】
以下、実施例及び比較例に基づいて本発明をより具体的に説明するが、本発明は以下の実施例に限定されるものではない。
【００４７】
（実施例１）
図６に示すＣＯ２溶解装置を用いて、本発明のエマルジョン燃料を製造した。なお、図６に示すＣＯ２溶解装置は、デシケータ３０と、ガス流通管３１と、ＣＯ２ガスのシリンダ３２と、真空ポンプ３３とを備えるものである。また、デシケータ３０内にはマグネチックスターラー３４が配置されている。また、デシケータ３０とＣＯ２ガスのシリンダ３２及び真空ポンプ３３とはガス流通管３１により接続されている。更に、図中の３４ａはローターを表す。このような溶解装置を用いたエマルジョン燃料の製造においては、先ず、灯油に水１５ｖｏｌ％とソルビタンモノオレート（界面活性剤：花王株式会社製の商品名「エマゾール  Ｏ−１０Ｖ」）０．７５ｖｏｌ％とを加え、回転数２００００ｒｐｍのホモジナイザー（株式会社ヤマト科学製の商品名「ＵＬＴＲＡ−ＤＩＳＰＥＲＳＥＲ  ＭＯＤＥＬ  ＬＫ−２１」）で１０分間攪拌混合して油中水滴型エマルジョンを調製した。次に、油中水滴の凝集防止のためマグネチックスターラー（４５０ｒｐｍ）で撹拌しながらデシケータ３０内部に配置された貯蔵槽に前記油中水滴型エマルジョンを導入した。このときの油中水滴型エマルジョンの温度は１５℃とした。そして、デシケータ３０内部を４ｋＰａまで脱気し、２時間程脱気処理を行うことで油中水滴型エマルジョン中の溶存空気を脱気した。その後、デシケータ内部が９８ｋＰａになるまでＣＯ２（純度９９．５％）を充填し、デシケータ内部の圧力の変化が一定（圧力変化率が０．３ｋＰａ／ｈｒ以下）となるまで油中水滴型エマルジョンを撹拌した。なお、デシケータ内部の圧力の変化が一定となるまでの時間はＣＯ２充填後２時間かかった。このようにして前記油中水滴型エマルジョンの水相中に、温度１５℃、ＣＯ２の圧力９８ｋＰａにおける飽和溶解量とみなせる量のＣＯ２を溶解させて、本発明のエマルジョン燃料を得た。なお、このようにして得られたエマルジョン燃料の水相中に溶解するＣＯ２の飽和溶解量（温度１５℃、ＣＯ２の圧力９８ｋＰａ）は１９００ｍｇ／Ｌである。また、大気圧中のＣＯ２量を３８０ｐｐｍ、液体温度を２０℃とした場合における水へのＣＯ２飽和溶解量は０．６９mg／Ｌである。
【００４８】
（比較例１）
デシケータ３０の内部にＣＯ２ガスを充填する工程を行わなかった以外は実施例１と同様にして、脱気処理のみを行った前記油中水滴型エマルジョンを、比較のためのエマルジョン燃料とした。
【００４９】
［実施例１及び比較例１で得られたエマルジョン燃料の特性の評価］
〈加熱時のエマルジョン燃料の挙動の観測（１）〉
実施例１及び比較例１で得られたエマルジョン燃料をそれぞれ用い、各エマルジョン燃料の加熱時の挙動を以下のようにして観測した。なお、このような観測には、図７に示すような装置を用いた。図７に示す装置は、電熱炉４０と、電熱炉４０内に配置された石英管４１と、石英管の空間内に懸垂線状にして配置されている熱電対４２とを備える。また、電熱炉４０にはバックライトを照射するための照明用窓４０ａと、ハイスピードカメラによりエマルジョン滴４３を観察するための観察用窓４０ｂが形成されている。なお、熱電対４２は図示を省略したデータ自動記録装置に接続され、温度のデータを記録可能としている。
【００５０】
このような加熱時の挙動の観測の際には、先ず、懸垂線状の熱電対４２にエマルジョン燃料を付着させ、電熱対４２の先端にエマルジョン滴４３を形成させた。次に、電気炉壁面温度を８００℃に設定した電気炉４０の内部において、エマルジョン滴を加熱し、その挙動の違いを、観察用窓４０ｂを通してハイスピードカメラで観察した。このときのエマルジョン滴の昇温速度は最大で１５０℃／ｓｅｃであった。このようなハイスピードカメラでの観察により、初期の直径が０．９ｍｍの実施例１で得られたエマルジョン燃料の液滴は、消滅までの時間が１．７秒であり、初期の直径が０．８ｍｍの実施例１で得られたエマルジョン燃料の液滴は、消滅までの時間が１．５秒であり、初期の直径が０．９ｍｍの比較例１で得られたエマルジョン燃料の液滴は、消滅までの時間が２．０秒であることが確認された。
【００５１】
また、初期の直径が０．９ｍｍの実施例１で得られたエマルジョン燃料（コロイド液滴）の加熱直前（０ｓｅｃ）、０．３７１秒加熱後、０．６５６秒加熱後、０．７６６秒加熱後のそれぞれの様子を図８Ａ〜Ｄに示す。また、初期の直径が０．８ｍｍの実施例１で得られたエマルジョン燃料（コロイド液滴）の１．３２０秒加熱後、１．３２１秒加熱後、１．３２２秒加熱後、１．３２３秒加熱後、１．５００秒加熱後、１．５０１秒加熱後、１．５０２秒加熱後、１．５０３秒加熱後のそれぞれの様子を図９Ａ〜Ｈに示す。更に、初期の直径が０．９ｍｍの比較例１で得られたエマルジョン燃料（コロイド液滴）の加熱直前（０ｓｅｃ）、０．４９９秒加熱後、０．４５０秒加熱後、０．４５１秒加熱後、０．５４４秒加熱後、０．８４５秒加熱後のそれぞれの様子を図１０Ａ〜Ｆに示す。
【００５２】
図８Ａ〜Ｄ、図９Ａ〜Ｈ及び図１０Ａ〜Ｆからも明らかなように、本発明のエマルジョン燃料（実施例１）においては、その水相中にＣＯ２が十分に溶解されているため、ＣＯ２溶解処理が行われていない比較のためのエマルジョン燃料と比較して二次微粒化の発生頻度及び強度が十分に高度なものとなっていることが確認された。また、本発明のエマルジョン燃料（実施例１）においては、効率よく二次微粒化が発生するため、液滴が消滅するまでの時間も２０％程度短縮されていることが確認された。このような結果から、本発明のエマルジョン燃料は十分に燃焼効率が高いものとなることが分かった。
【００５３】
（実施例２）
容量４Ｌの容器に市販の炭酸水（株式会社ふくれん  甘木工場製の商品名「ただの炭酸水」）４５０ｍＬと灯油２５２７．５ｍＬとソルビタンモノオレート（界面活性剤：花王株式会社製の商品名「エマゾール  Ｏ−１０Ｖ」）２２．５ｍｌとを添加し、得られた混合物（水の体積分率１５ｖｏｌ．％）を超音波ホモジナイザー（出力０．７５Ｗ，周波数２３０００Ｈｚ）を使用して十分に撹拌し、本発明のエマルジョン燃料を製造した。なお、前記炭酸水中のＣＯ２の溶解量は、前述の炭酸水中のＣＯ２の溶解量の測定方法を採用して測定したところ５６９６ｍｇ／Ｌであった。
【００５４】
（実施例３）
先ず、容量４Ｌの容器に市販の炭酸水（株式会社ふくれん  甘木工場製の商品名「ただの炭酸水」）４５０ｍＬと灯油２５２７．５ｍＬとソルビタンモノオレート（界面活性剤：花王株式会社製の商品名「エマゾール  Ｏ−１０Ｖ」）２２．５ｍｌとを添加し、得られた混合物（水の体積分率１５ｖｏｌ．％）を超音波ホモジナイザー（出力０．７５Ｗ，周波数２３０００Ｈｚ）を使用して十分に撹拌し、油中水滴型エマルジョンを調製した。その後、前記油中水滴型エマルジョン中にドライアイス２０ｇを導入して溶解させることで、油中水滴型エマルジョンの水相中にＣＯ２を溶解させて、本発明のエマルジョン燃料を製造した。
【００５５】
（比較例２）
容量４Ｌの容器に水道水４５０ｍＬと灯油２５２７．５ｍＬとソルビタンモノオレート（界面活性剤：花王株式会社製の商品名「エマゾール  Ｏ−１０Ｖ」）２２．５ｍｌとを添加し、得られた混合物（水の体積分率１５ｖｏｌ．％）を超音波ホモジナイザー（出力０．７５Ｗ，周波数２３０００Ｈｚ）を使用して十分に撹拌し、本発明のエマルジョン燃料を製造した。
【００５６】
［実施例２〜３及び比較例２で得られたエマルジョン燃料の特性の評価］
〈加熱時のエマルジョン燃料の挙動の観測（２）〉
前述の加熱時のエマルジョン燃料の挙動の観測（１）と同様の方法を採用して、実施例３及び比較例２で得られたエマルジョン燃料の加熱時の挙動を観測した。なお、このような観測は、エマルジョン燃料ごとに５回（５滴）ずつ行った。
【００５７】
このような観測の結果、本発明のエマルジョン燃料（実施例３）においては、各回の観測の際に液滴で二次微粒化の発生が観測された（５液滴中５滴）のに対して、比較のためのエマルジョン燃料（比較例２）においては、５液滴中３滴にしか二次微粒化が発生しなかった。このような結果から、本発明のエマルジョン燃料においては、二次微粒化が効率よく発生することが確認された。
【００５８】
〈噴霧燃焼後の排ガスの測定〉
実施例２〜３及び比較例２で得られたエマルジョン燃料をそれぞれ用い、各エマルジョン燃料を燃焼器内に二流体ノズルで噴霧して燃焼させる噴霧燃焼実験を行い、燃焼器から排出されるガス中の成分の測定を行った。すなわち、先ず、前記エマルジョン燃料を燃料タンクに導入した。その後、ポンプを用いて前記燃料タンクから二流体ノズルに前記エマルジョン燃料を供給した。なお、二流体ノズルに前記エマルジョン燃料を供給する際に、一部のエマルジョン燃料が燃料タンクに戻されるようにして、前記燃料タンク内で前記エマルジョン燃料を常時循環させて水相が凝集することを防止した。次に、前記燃焼器の内部に、二流体ノズルを用いて前記エマルジョン燃料を０．１Ｌ／ｍｉｎの流量で噴霧した。また、同時に前記燃焼器内において空気比が１．２０の条件となるように空気を導入した。次に、燃焼器内で前記エマルジョン燃料の噴霧滴に着火し、前記エマルジョン燃料を燃焼させた。このような操作を連続して行い、燃焼器から排出されるガス温度の変化が±５Ｋ／ｈｏｕｒとなったとき、燃焼状態が定常状態になったとみなし、その排ガスを水冷サンプリングプローブにより採取した。その後、このようにして採取した排ガスをフィルターに通し、その排ガス中に含まれる煤及び水蒸気を除去して試料ガスを得た。そして、このようにして得られた試料ガス中のＯ２濃度、ＣＯ濃度及びＮＯｘ濃度を、ポータブルガス分析計（堀場製作所製の商品名「ＰＧ−２４０」）を用いて分析した。なお、このようなガス分析計ではＯ２濃度をガルバニ電極法、ＣＯ濃度を非分散系赤外線分析法、ＮＯｘ濃度を化学発光法でそれぞれ定量した。結果を表１に示す。
【００５９】
【表１】
2010019507.tif 000002
【００６０】
表１に示した結果から明らかなように、本発明のエマルジョン燃料（実施例２〜３）においては、比較のためのエマルジョン燃料（比較例２）よりも排ガス中のＣＯ及びＮＯｘの量が少なかった。また、実施例３で得られたエマルジョン燃料においては比較例２で得られたエマルジョン燃料と比較してＣＯの排出量が４０％程度減少していることが確認された。このような結果から、本発明のエマルジョン燃料（実施例２〜３）においては、燃焼効率が十分に高く、ＮＯｘやＣＯの発生を十分に抑制できることが確認された。
【産業上の利用可能性】
【００６１】
以上説明したように、本発明によれば、十分に高度な燃焼性を有し、ＮＯｘやＣＯの発生を十分に抑制することが可能なエマルジョン燃料を効率よく且つ確実に製造することが可能なエマルジョン燃料の製造方法、その製造方法により得られるエマルジョン燃料、そのエマルジョン燃料を製造することが可能なエマルジョン燃料の製造装置、並びに、そのエマルジョン燃料を燃焼器内に供給可能なエマルジョン燃料の供給装置を提供することが可能となる。
【００６２】
したがって、本発明のエマルジョン燃料の製造方法は、ディーゼルエンジンやボイラー等の用途に用いられるエマルジョン燃料を製造するための方法として特に有用である。
【図面の簡単な説明】
【００６３】
【図１】燃焼器内において噴霧された油中水滴型エマルジョン燃料の噴霧燃焼過程を概念的に示す模式図である。
【図２】図２は油中水滴型エマルジョン燃料中の水相のみを示す模式図である。
【図３】炭酸水中のＣＯ２の溶解量を測定するための装置を示す模式図である。
【図４】本発明の第一のエマルジョン燃料の製造装置の好適な一実施形態を示す模式図である。
【図５】本発明の第二のエマルジョン燃料の製造装置の好適な一実施形態を示す模式図である。
【図６】実施例１で用いたＣＯ２溶解装置の一実施形態を示す概略縦断面図である。
【図７】加熱時のエマルジョン燃料の挙動の観測を行うための装置を示す概略縦断面図である。
【図８Ａ】初期の直径が０．９ｍｍの実施例１で得られたエマルジョン燃料（コロイド液滴）の加熱直前（０ｓｅｃ）の様子を示す写真である。
【図８Ｂ】初期の直径が０．９ｍｍの実施例１で得られたエマルジョン燃料（コロイド液滴）の０．３７１秒加熱後の様子を示す写真である。
【図８Ｃ】初期の直径が０．９ｍｍの実施例１で得られたエマルジョン燃料（コロイド液滴）の０．６５６秒加熱後の様子を示す写真である。
【図８Ｄ】初期の直径が０．９ｍｍの実施例１で得られたエマルジョン燃料（コロイド液滴）の０．７６６秒加熱後の様子を示す写真である。
【図９Ａ】初期の直径が０．８ｍｍの実施例１で得られたエマルジョン燃料（コロイド液滴）の１．３２０秒加熱後の様子を示す写真である。
【図９Ｂ】初期の直径が０．８ｍｍの実施例１で得られたエマルジョン燃料（コロイド液滴）の１．３２１秒加熱後の様子を示す写真である。
【図９Ｃ】初期の直径が０．８ｍｍの実施例１で得られたエマルジョン燃料（コロイド液滴）の１．３２２秒加熱後の様子を示す写真である。
【図９Ｄ】初期の直径が０．８ｍｍの実施例１で得られたエマルジョン燃料（コロイド液滴）の１．３２３秒加熱後の様子を示す写真である。
【図９Ｅ】初期の直径が０．８ｍｍの実施例１で得られたエマルジョン燃料（コロイド液滴）の１．５００秒加熱後の様子を示す写真である。
【図９Ｆ】初期の直径が０．８ｍｍの実施例１で得られたエマルジョン燃料（コロイド液滴）の１．５０１秒加熱後の様子を示す写真である。
【図９Ｇ】初期の直径が０．８ｍｍの実施例１で得られたエマルジョン燃料（コロイド液滴）の１．５０２秒加熱後の様子を示す写真である。
【図９Ｈ】初期の直径が０．８ｍｍの実施例１で得られたエマルジョン燃料（コロイド液滴）の１．５０３秒加熱後の様子を示す写真である。
【図１０Ａ】初期の直径が０．９ｍｍの比較例１で得られたエマルジョン燃料（コロイド液滴）の加熱直前（０ｓｅｃ）の様子を示す写真である。
【図１０Ｂ】初期の直径が０．９ｍｍの比較例１で得られたエマルジョン燃料（コロイド液滴）の０．４９９秒加熱後の様子を示す写真である。
【図１０Ｃ】初期の直径が０．９ｍｍの比較例１で得られたエマルジョン燃料（コロイド液滴）の０．４５０秒加熱後の様子を示す写真である。
【図１０Ｄ】初期の直径が０．９ｍｍの比較例１で得られたエマルジョン燃料（コロイド液滴）の０．４５１秒加熱後の様子を示す写真である。
【図１０Ｅ】初期の直径が０．９ｍｍの比較例１で得られたエマルジョン燃料（コロイド液滴）の０．５４４秒加熱後の様子を示す写真である。
【図１０Ｆ】初期の直径が０．９ｍｍの比較例１で得られたエマルジョン燃料（コロイド液滴）の０．８４５秒加熱後の様子を示す写真である。
【符号の説明】
【００６４】
１…燃料油、２…水、３…着火された炎、４…気泡核、１０…噴霧滴、１１…燃料貯蔵器、１２…水貯蔵器、１３…混合装置、１４…ＣＯ２溶解装置、１５…燃焼器、１６…炭酸水貯蔵器、１７…混合装置、２０…密封容器、２１…ガス流通管、２２…流量計、２３…炭酸水、３０…デシケータ、３１…ガス流通管、３２…ＣＯ２ガスのシリンダ、３３…真空ポンプ、３４…マグネッチクスターラー、３４ａ…ローター、３５…油中水滴型エマルジョン、４０…電熱炉、４０ａ…照明用窓、４０ｂ…観察用窓、４１…石英管、４２…熱電対。
【図１】
2010019507.tif 000003
【図２】
2010019507.tif 000004
【図３】
2010019507.tif 000005
【図４】
2010019507.tif 000006
【図５】
2010019507.tif 000007
【図６】
2010019507.tif 000008
【図７】
2010019507.tif 000009
【図８Ａ】
2010019507.tif 000010
【図８Ｂ】
2010019507.tif 000011
【図８Ｃ】
2010019507.tif 000012
【図８Ｄ】
2010019507.tif 000013
【図９Ａ】
2010019507.tif 000014
【図９Ｂ】
2010019507.tif 000015
【図９Ｃ】
2010019507.tif 000016
【図９Ｄ】
2010019507.tif 000017
【図９Ｅ】
2010019507.tif 000018
【図９Ｆ】
2010019507.tif 000019
【図９Ｇ】
2010019507.tif 000020
【図９Ｈ】
2010019507.tif 000021
【図１０Ａ】
2010019507.tif 000022
【図１０Ｂ】
2010019507.tif 000023
【図１０Ｃ】
2010019507.tif 000024
【図１０Ｄ】
2010019507.tif 000025
【図１０Ｅ】
2010019507.tif 000026
【図１０Ｆ】
2010019507.tif 000027